(57)【要約】【課題】  いわゆるツイン型蛍光灯の交換を建物の床面から行ない得る蛍光灯交換器具を提供すること。【解決手段】  ツイン型蛍光灯を照明器具に取り付け、取り外しする蛍光灯の交換器具であって、薄板状の保護プレート２２の両側に、一端が枢支されバネ２４により開放付勢され、空圧アクチュエータ２５により閉じられる一対の把持部材２３が配され、蛍光灯の端部寄り部分を把持、解放する把持手段２０と、この把持手段と所定距離を置いて配され、前記蛍光灯の外周面を支持し得る支持部１１を持ち、蛍光灯の電極部寄りの部分を支持するオフセット部材１０と、一端に前記把持手段および前記オフセット部材を保持し、他端に給気手段および開閉弁３１を有し、前記把持手段および前記オフセット部材により前記蛍光灯を保持して昇降させ、かつ前記空圧アクチュエータの作動により前記蛍光灯の保持、解放を行なう伸縮ポール部材３０と、をそなえた蛍光灯交換器具。【選択図】  図２
2006236943.tif 000002
【特許請求の範囲】
【請求項１】
一端で相互に連結し、他端に電極部が設けられた２本の平行配置された蛍光管を、照明器具に取り付け、取り外しする蛍光灯の交換器具において、
薄板状の保護プレート、この保護プレートを挟んで配された一対の部材により構成され、一端に枢支軸を、他端に前記蛍光灯の外周面に当接する窪みを持ち、前記他端が開放するように付勢された一対の把持部材、およびこの一対の把持部材の前記他端を付勢力に抗して閉じ合わせる空圧アクチュエータを有し、前記蛍光灯の端部寄り部分を把持、解放する把持手段と、
前記蛍光灯の外周面を支持し得る支持部を持ち、前記把持手段と所定距離を置いて前記把持手段に連結され、前記蛍光灯の電極部寄りの部分を支持するオフセット部材と、
内部に空圧路を有する伸縮可能なポールであって、一端に前記把持手段および前記オフセット部材を保持し、他端に前記空圧路への給気を行う給気手段および該空圧路の開閉を行う開閉弁を有し、前記蛍光灯を前記把持手段および前記オフセット部材により保持して前記照明器具まで昇降させ、かつ前記空圧アクチュエータの作動により前記蛍光灯の保持、解放を行なう伸縮ポール部材と、
をそなえたことを特徴とする蛍光灯交換器具。
【請求項２】
請求項１記載の蛍光灯交換器具において、
前記把持手段および前記オフセット部材は、前記給気手段に連通した空圧アクチュエータにより前記伸縮ポール部材に対して所定角度範囲で回動されることを特徴とする蛍光灯交換器具。
【請求項３】
請求項２記載の蛍光灯交換器具において、
前記把持手段および前記オフセット部材は、回動時に前記給気手段に連通した空圧アクチュエータにより緩衝作用を受けることを特徴とする蛍光灯交換器具。
【請求項４】
請求項１記載の蛍光灯交換器具において、
前記オフセット部材は、前記把持手段に対して着脱可能に構成されたことを特徴とする蛍光灯交換器具。
【発明の詳細な説明】
【技術分野】
【０００１】
本発明は、直管状の蛍光灯の交換器具に係わり、とくに直管状の２本の蛍光管が平行配置されて一端に電極が設けられた蛍光灯を交換するものに関する。
【背景技術】
【０００２】
照明器具は天井等の高所に取り付けられていることが多く、その交換には、作業者がはしご等を利用して設置場所まで登る代わりに、設置場所まで届く交換器具を用いて交換を行うことが多い。そのような交換器具として、いくつかの提案がある（特許文献１ないし３）。
【特許文献１】特開平11-307043号公報
【特許文献２】特開平11-307044号公報
【特許文献３】特開平11-307045号公報
【発明の開示】
【発明が解決しようとする課題】
【０００３】
ここで、蛍光灯は種々のものが提供されているから、交換器具も蛍光灯の構造、サイズに応じて種々のものが提供されているが、必ずしも全種類に対応できていない。
【０００４】
とくにいわゆるツイン型と呼ばれる、２本の直管が平行配置され、一端側に電極が配されたものは、取り扱いが独特であり、既存の交換器具では対応できない。
【０００５】
本発明は、上述の点を考慮してなされたもので、いわゆるツイン型蛍光灯の交換を建物の床面から行ない得る蛍光灯交換器具を提供することを目的とする。
【課題を解決するための手段】
【０００６】
上記目的達成のため、本発明では、
一端で相互に連結し、他端に電極部が設けられた２本の平行配置された蛍光管を、照明器具に取り付け、取り外しする蛍光灯の交換器具において、
薄板状の保護プレート、この保護プレートを挟んで配された一対の部材により構成され、一端に枢支軸を、他端に前記蛍光灯の外周面に当接する窪みを持ち、前記他端が開放するように付勢された一対の把持部材、およびこの一対の把持部材の前記他端を付勢力に抗して閉じ合わせる空圧アクチュエータを有し、前記蛍光灯の端部寄り部分を把持、解放する把持手段と、
前記蛍光灯の外周面を支持し得る支持部を持ち、前記把持手段と所定距離を置いて前記把持手段に連結され、前記蛍光灯の電極部寄りの部分を支持するオフセット部材と、
内部に空圧路を有する伸縮可能なポールであって、一端に前記把持手段および前記オフセット部材を保持し、他端に前記空圧路への給気を行う給気手段および該空圧路の開閉を行う開閉弁を有し、前記蛍光灯を前記把持手段および前記オフセット部材により保持して前記照明器具まで昇降させ、かつ前記空圧アクチュエータの作動により前記蛍光灯の保持、解放を行なう伸縮ポール部材と、
をそなえたことを特徴とする蛍光灯交換器具、
を提供するものである。
【発明の効果】
【０００７】
本発明は上述のように、いわゆるツイン型蛍光灯の先端側を掴む空圧式把持手段と同じ蛍光灯の電極のある基端側を保持するオフセット部材とを伸縮可能で内部に空圧路を持つポール上に取り付け、空圧式把持手段をポールを介して操作し得るようにしたため、ツイン型蛍光灯を建物の床面からの操作で交換し得る交換器具を提供することができる。
【発明を実施するための最良の形態】
【０００８】
以下、添付図面を参照して本発明の実施例を説明する。  
【実施例１】
【０００９】
図１(a),(b)は、本発明の適用対象であるいわゆるツイン型の直管型蛍光灯およびこの蛍光灯を装着する照明器具を示す斜視図である。ツイン型蛍光灯は、図１(a)に示すように、２本の連通した直管１０１が平行配置され、一端に電極部１０２が設けられている。
【００１０】
この蛍光灯は、図１(b)に示すような照明器具に装着される。この照明器具２００は、本体２０１の一端側に、蛍光灯１００の電極部１０２が差し込まれる回動可能なソケット２０２を有し、他端寄りに弾性のあるストッパ２０３を有する。
【００１１】
蛍光灯１００を装着するには、照明器具２００のソケット２０２を回動させて下向きにし、蛍光灯１００の電極部１０２をあてがった上で蛍光灯の反ソケット側端を持ち上げて管の先端寄りの部分をストッパ２０３に嵌め込む。
【００１２】
そして、蛍光灯１００を取り外す際は、蛍光灯１００を保持して蛍光灯の反ソケット側端をストッパ２０３から外れるまで引き下げると、電極部１０２がソケット２０２から外れるから、蛍光灯全体を下降させる。
【００１３】
図２は、本発明の一実施例の全体形状を示したものである。この蛍光灯交換器具は、想像線で示した蛍光灯１００の先端寄り部分を掴む把持手段２０、およびこの把持手段２０から延びるロッドに支持されたオフセット部材１０が伸縮式のポール部材３０上に取り付けられている。
【００１４】
オフセット部材１０は、把持手段２０の図示左側部に設けられた差込穴に差し込まれる構造であり、交換すべき蛍光灯の出力に応じて長さ、角度が設定された、いくつかのものを用意しておく。
【００１５】
ポール部材３０は、５段式の締め付けナットの操作により伸縮可能な構造で内部にコイル状のチューブが通っており、このチューブは把持手段２０に組み込まれた２種類の空圧アクチュエータすなわち把持用アクチュエータおよび回動用アクチュエータ、ポール部材３０に組み付けられた開閉弁３１、圧力計３２およびポンプ３３に連通している。
【００１６】
そして、ポール部材３０を、蛍光灯交換器具を交換すべき蛍光灯の設置場所の直下床面に立てて、開閉弁３１を開き把持用および回動用の両空圧アクチュエータが作動しないようにしたとき、把持手段２０の重みによって、オフセット部材１０および把持手段２０は図示の水平状態から矢印方向（時計方向）に回動し、把持手段２０の図示下面が回動規制部材２０Ａに当接した状態となる。すなわち、オフセット部材１０が図示の状態より高い位置に、把持手段２０がより低い位置になる。
【００１７】
この状態でポール部材３０を伸ばしていき、照明器具に装着されている蛍光灯１００にまずオフセット部材１０を当てがって、オフセット部材により蛍光灯１００の基端側を支持し、次いでさらにポール部材３０を伸ばして把持手段２０を蛍光灯１００の先端寄り部分に当てる。
【００１８】
続いて、開閉弁３１を閉じてからポンプ３３によって把持手段２０の把持用アクチュエータに給気を行ない把持手段２０の開いている端部を閉じ、蛍光灯１００の先端寄り部分をしっかりと把持させる。このとき、把持手段２０に設けられたもうひとつの空圧アクチュエータ、回動用アクチュエータにより図示時計方向の回動作用が与えられる。この状態でポール部材３０を縮めて下方に引き下げると、蛍光灯１００の先端側がストッパ２０３（図１）から外れる。
【００１９】
次に、ポール部材３０の締め付けナットを緩めて蛍光灯１００の先端側を引き降ろし、把持手段２０の回動が回動規制部材２０Ａによって規制される角度（例えば３５度）になると、蛍光灯１００の電極部が照明器具のソケット（図示せず）から外れる。そこで、締め付けナットを次々と緩めてポール部材３０を縮め、蛍光灯１００を床面近くまで下げてから把持手段２０を緩めて蛍光灯１００を取り外す。
【００２０】
この後、新しい蛍光灯１００をオフセット部材１０および把持手段２０にセットしてから、把持手段２０によりしっかりと把持する。次いで、締め付けナットを１段ずつ締め付けながらポール部材３０を伸ばしていき、オフセット部材１０を照明器具のソケットに近付け、把持手段２０が照明器具の反ソケット側端を向いたら、蛍光灯１００を立てるようにオフセット部材１０および把持手段２０を図示右下がりの斜め姿勢にする。
【００２１】
オフセット部材１０および把持手段２０は、ポンプ３３によりポール部材３０の内部にある空圧路に給気すると、空圧路に連通した回動用アクチュエータが作動してオフセット部材１０および把持手段２０を図示時計回りに回動させる。回動は、把持手段２０が回動規制部材２０Ａに当接して止まり、このとき蛍光灯１００の傾き角はほぼ３５度となっている。
【００２２】
そこで、蛍光灯１００の電極部をソケットに差し込んだ上で、ポール部材３０をさらに伸ばしていき、蛍光灯１００の先端寄り部分をストッパ２０３（図１）に係止させる。これにより、蛍光灯１００が照明器具に取り付けられたので、把持手段２０を緩めてからポール部材３０を縮めて交換作業が終了する。
【００２３】
図３(a),(b)は、オフセット部材１０の詳細構造を示した側面図および斜視図である。オフセット部材１０は、蛍光灯の取り外し時および取り付け時に照明器具のソケット近くに置かれて蛍光灯の電極部近くを保持するものであり、同時に交換器具の全体的な位置取りをする際の指標的役割を果たすものである。
【００２４】
蛍光灯は、取り外し時および取り付け時に水平状態から反ソケット側端が３５度下がった状態まで姿勢を変えるから、オフセット部材１０もこれに対応する構造となっている。すなわち、オフセット部材１０は、蛍光灯を保持する保持部１１、この保持部１１を把持手段２０に取り付けるロッド１２、保持部１１をロッド１２に回動可能に支持する枢支部材１３、およびロッド１２を把持手段に固定する差込部１４により構成される。差込部１４は、ロッド１２の向きが変わらないように、差込規制加工がされている。
【００２５】
蛍光灯は、出力の大きい順に１０５Ｗ、９６Ｗ、５５Ｗ、３６Ｗがあり、それぞれ寸法が異なるからオフセット部材１０は、これらそれぞれに適した寸法のものを予め用意しておく。
【００２６】
図４(a),(b)は、把持手段２０の詳細構造を示す正面図および右側面図である。把持手段２０は、交換作業時に蛍光灯１００をしっかりと把持するものである。そこで、筐体２１には、蛍光灯１００を損傷しないように、２本の蛍光管の中央位置に保護プレート２２を立て、その両側から枢支された一対の把持部材２３によって蛍光灯１００を保護プレート２２に固定するように把持する。
【００２７】
その際、把持用のアクチュエータ２５ａが膨らんで、把持部材２３をバネ２４の伸張力に抗して背後から保護プレート２２に向けて押圧する。ただし、蛍光灯１００に過度の作用力を与えないように、ならびに漏気を発見するように、圧力計３２により空圧回路の圧力をチェックする。
【００２８】
保護プレート２２の高さは、照明器具の構造によって付け替えるように、複数種類のものを用意しておき、その中から適当なものを選んで取り付ける。また保護プレート２２の厚みは、２本の蛍光管の隙間寸法に合わせたものとしている。また、把持部材２３は、先端に設けられた窪みの曲率半径が蛍光管の外周にぴったりと当接して蛍光管の中心軸を所定位置に保つ。
【００２９】
この結果、保護プレート２２が照明器具の笠に当たる位置が把持手段２０を押し上げたときに把持部材２３が蛍光管の中心軸に合った状態となる。これにより、作業員が天井面等の高所にある蛍光灯の状態を直接見なくても正確に位置合わせをすることができる。
【００３０】
この把持用アクチュエータ２５ａは、図２に示したポール部材３０に設けられている開閉弁３１、圧力計３２およびポンプ３３に、破線で示すようにマニフォールドを介して、さらにポール部材３０内を通るコイル状のチューブ（図示せず）を経て連通している。そして、ポンプ３３からの給気により膨張し、弁３１を開くことによって収縮する。
【００３１】
把持手段２０には、もう一つの回動用アクチュエータ２５ｂが、筐体２１の下方のオフセット部材１０寄りの位置に設けられている。この回動用アクチュエータ２５ｂは、筐体２１の図示左側を持ち上げて、オフセット部材１０および把持手段２０を傾かせるものであり、回動規制部材２０Ａにより回動停止するまで回動させることができる。この場合も、圧力計３２により空気圧をチェックして、回動用アクチュエータ２５ｂが蛍光灯１００に接触している各要素に耐衝撃性を与えるようにする。
【００３２】
なお、筐体２１の図示左側端には、オフセット部材１０のロッドが差し込まれるロッド受けが設けられており、このロッド受けにはロッドを所定の向きで差し込むための穴が開けられている。
【００３３】
図５(a),(b)は、空圧アクチュエータの詳細構造を示したものである。空圧アクチュエータは、平面形状が溝部を持った２重リング状で、側断面形状が中央および両側部に凸部２５１，２５２を有する山字状の空間を持ったゴム製中空体である。
【００３４】
この中空体は、空気穴２５３を介して給気、排気が行われることにより内部空間の容積が変化し、それに応じて膨張、収縮（復元）する。図５(b)は自然に排気した状態でいわば収縮したときであり、給気するととくに中央部分が膨らんで想像線で示す状態まで突出する。この作用を利用して、把持用アクチュエータによる蛍光灯の把持、および回動用アクチュエータによるオフセット部材および把持手段の回動を行なわせる。
【００３５】
図６(a),(b),(c)は、上記実施例における空圧回路の実体配線図、空圧回路図および空圧アクチュエータの配置図である。この空圧回路の空気供給源は、図６(a),(b)に示すようにポンプ３３であり、弁３１の開、閉およびポンプ３３の給気により圧力計３２を見ながら圧力を調整する。
【００３６】
そして、この空圧回路により図６(c)に示す空圧アクチュエータ２５ａ，２５ｂの動作制御が行われる。図６(c)は、把持手段２０が自重で回動しほぼ３５度の傾きを持った状態を示している。
【他の実施例】
【００３７】
上記実施例では、端部が枢支された一対の把持部材を用いているが、中間部分が枢支された一対の把持部材を用いても、同様に空圧アクチュエータを用いた動作を行うことができる。
【図面の簡単な説明】
【００３８】
【図１】図１(a),(b)は、本発明の適用対象である蛍光灯およびこの蛍光灯用の照明器具の説明図。
【図２】本発明の一実施例の構成を示す説明図。
【図３】図３(a),(b)は、図２の実施例におけるオフセット部材の側面図および斜視図。
【図４】図４(a),(b)は、図２の実施例における把持手段の正面図および右側面図。
【図５】図５(a),(b)は、図４に示した構造に用いる空圧アクチュエータの構造を示す一部破断説明図および側断面図。
【図６】図６(a),(b),(c)は、図２に示した実施例における空圧回路の実体配線図、空圧回路図およびこの空圧回路により作動する空圧アクチュエータの配置を示す説明図。
【符号の説明】
【００３９】
１０  オフセット部材、１１  保持部材、１２  ロッド、１３  枢支部材、１４  差込部、２０  把持手段、２０Ａ  回動規制部材、２１  筐体、
２２  保護プレート、２３  把持部材、２４  バネ、
２５  空圧アクチュエータ、３０  ポール部材、３１  開閉弁、３２  圧力計、
３３  ポンプ、１００  蛍光灯、１０１  管部、１０２  電極部、
２００  照明器具、２０１  本体、２０２  ソケット、２０３  ストッパ。
【図１】
2006236943.tif 000003
【図２】
2006236943.tif 000004
【図３】
2006236943.tif 000005
【図４】
2006236943.tif 000006
【図５】
2006236943.tif 000007
【図６】
2006236943.tif 000008